Podtech/llm-jp-corpus-v4-ja_patent huggingface dataset:
(57)【要約】      （修正有）【課題】既存の刈払い機の防護カバーと地面との空間を補い、空間からの飛び石を無くし、刈払い機の破損を防ぐ防護カーテンを提供する。【解決手段】既存の防護カバーの両側を延長して、透明シートとゴム他の緩衝材からなる、地面との空間を補うカーテンを設ける。また、上面にも防護カバーを設ける。飛び石で刈払い機の操作者、車等の被害を無くす事が出来る。【選択図】図２
0003210182.tif 000002
【実用新案登録請求の範囲】
【請求項１】
刈払い機の既存の防護カバーを（図７）改良をして防護カバーの両側を延長し、カーテンを新たに設け、カーテンは透明のシート、ゴム又は他の緩衝材を使用をした物又上面には透明いの防護カバーを設けた飛散防護カバーである。
【考案の詳細な説明】
【発明の詳細な説明】
【考案に属する技術分野】
【０００１】
0003210182.tif 000003
明のシート及びゴム、他の緩衝材をカーテンとして使用した物と、（図３）上面には透明のシートで防護カバーを設けた物である。
【背景技術】
【０００２】従来は刈払い機には飛散防護カバーがついているがプラスチックで、できています、（図１）素材が堅い為に地面に密着をさせる事が出来ないので、地面との間に空間が生じる、空間の間から、四方八方に飛び石が生じるので危険である。
【考案が解決しようとする課題】
【０００３】本発明は従来の飛散防護カバーと地面との間の空間を補う為の物である、空間から飛び石が生じるので刈払い機の操作者、車等、他の物体を、刈払い機の向ける方向で破損を防ぐ事が出来るのではないかと思い課題として進めた。
【課題を解決するための手段】
【０００４】従来の飛散防護カバーを改良をして（図７）両側を延長をして飛散防護カバーにカーテンを備えつける（図６）カーテンは地面に被さるように丈を長くする、上面に透明のシートカバーを設ける事で空間が無くなるので飛び石を受け止める事によって安全を確保できる。
【考案の実施と形態】
【０００５】刈払い機の既存の防護カバーを改良して透明で丈夫なシート、ゴム又は他の緩衝材でカーテンを作り又、上面には透明のシートカバーを設けた物である、カーテン、上面の防護カバーは押さえ板をボルトで留める、本発明は以上のような構成である。
【考案の効果】
【０００６】既存の飛散防護カバーを改良をしてカーテンを備え付けた事でカーテンで飛び石を受けた事により、刈払い機の操作者、車等、他の物体に被弾する事が回避が出来た、安全が確認でき、上面の防護カバーも保護具の役目を果たしている。
【図面の簡単な説明】
【図１】既存の防護カバー
【図２】本発明の改良をした斜視図である
【図３】本発明の改良をした平面図である
【図４】本発明の改良をした防護カバーにつくカーテンと押さえ板
【図５】本発明の改良をした防護カバーにつく上面のカバーと押さえ板
【図６】本発明の既存の防護カバーを改良をした側面図と地面
【図７】既存の防護カバーを改良をした図面
【符号の説明】（図面１）既存の防護カバー  （図面２）改良をした防護カバー
（図面３）改良をした防護カバーの上面  （図面４）防護カバーにつくカーテン
（図面５）上面の防護カバー  （図面６）改良をしたカバーと地面
（図面７）既存の防護カバーを改良した物
【図１】
0003210182.tif 000004
【図２】
0003210182.tif 000005
【図３】
0003210182.tif 000006
【図４】
0003210182.tif 000007
【図５】
0003210182.tif 000008
【図６】
0003210182.tif 000009
【図７】
0003210182.tif 000010
【手続補正書】
【提出日】平成29年2月14日(2017.2.14)
【手続補正１】
【補正対象書類名】実用新案登録請求の範囲
【補正対象項目名】全文
【補正方法】変更
【補正の内容】
【実用新案登録請求の範囲】
【請求項１】
刈払い機に装着されている防護カバーはプラスチックで出来ていて円錐状で二段構えとゆう形状です、底辺は中心点から１７０ｍｍπ×１２０ｍｍπ×高さ６０ｍｍ＝１２０ｍｍ×６５ｍｍ×高さ７０ｍｍの円周を４分１にカットにした形状です、防護カバーが硬いプラスチックのため地面との間に空間が生じる、回転刃、ナイロンコード等で草刈をすると空間があるので地面にコロがっている石が四方八方に飛びます（１）装着されている防護カバーでは飛び石を受け止める事が出来ないので、装着されている防護カバーを改良して両サイドを延長をして防護カバーに透明のシート及びゴム他の緩衝材をカーテンとして装着をして飛び石を受け止める防護カーテン
【手続補正２】
【補正対象書類名】明細書
【補正対象項目名】全文
【補正方法】変更
【補正の内容】
【考案の詳細な説明】
【背景技術】
【０００１】  従来は刈払い機には防護カバーが装着されているがプラスチックで出来ています、素材が硬い為と全体に小さいので地面に密着する事が出来ないので、地面との間に空間が生じる、空間の間から四方八方に飛び石が生じるのて゛危険である
【考案が解決しようとする課題】
【０００２】  本発明は従来の防護カバーと地面との間の空間を補う為の物である
空間から飛び石が生じるのて゛刈払い機の操作者、後ろにある車等他の物体にキズをつけないように（５）防護カバーにカーテンを装着して刈払い機の向ける方向によって破損を防ぐ事が出来るのではないかと思い課題として進めた
【課題を解決するための手段】
【０００３】  従来の防護カバーを改良をして（６）両側を延長をして全体に大きくして防護カバーにカーテンを備え付けるカーテンは地面に被さるように丈を長くするカーテンを設ける事により空間が無くなるので飛び石を受け止める事によって安全を確保できる
【考案の実施と形態】
【０００４】  刈払い機に装着されている防護カバーを改良をして全体を大きくして（４）透明で丈夫なシート、ゴム又は他の緩衝材でカーテンをボルト、押さえ板で留める、本発明は以上のような構成である
【考案の効果】
【０００５】防護カバーを改良をしてカーテンを備え付けた事でカーテンで飛び石を受けた事により、刈払い機の操作者、車等、他の物体に被弾する事が回避が出来た安全が確保された
【図面の簡単な説明】
【０００６】
【図１】刈払い機装着されている防護カバー
【図２】本発明の改良をした斜視図である
【図３】本発明の改良をした平面図である
【図４】本発明の改良をした防護カバーにつくカーテンと押さえ板
【図５】改良をした防護カバーについたカーテン
【図６】防護カバーを改良をした図面
【符号の説明】
【０００７】（図面１）装着されている防護カバ  （図面２）改良をした斜視図
（図面３）改良をした平面図
（図面４）防護カバーに付くカーテンと押さえ板
（図面５）改良をした防護カバーに付いたカーテン
（図面６）防護カバーを改良をした平面図
【手続補正３】
【補正対象書類名】図面
【補正対象項目名】全図
【補正方法】変更
【補正の内容】
【図１】
0003210182.tif 000011
【図２】
0003210182.tif 000012
【図３】
0003210182.tif 000013
【図４】
0003210182.tif 000014
【図５】
0003210182.tif 000015
【図６】
0003210182.tif 000016
(57)【要約】      （修正有）【課題】構造や組み立てが簡単で、搬送しやすく、且つ椅子の一体性が良好となり、公共施設での取り付け及び使用に適する公共椅子を提供する。【解決手段】公共椅子は、背もたれ１、椅子接続部材２、シート３及び横梁を含む。椅子接続部材２の上端は、ネジによって背もたれ１に固定される。シート３は、椅子接続部材２の中央部に回動可能に接続される。椅子接続部材２の下端は、横梁に固定される。取り付け時には、椅子接続部材２が上下を接続する作用を奏する。椅子接続部材２は上部が背もたれ１に固定接続され、中央部分がシート３に回転可能に接続されることで、シート３の折り畳みが実現される。以上で椅子本体ユニットが完成し、梱包すれば現場への搬送が可能となる。【選択図】図２
0003210183.tif 000002
【実用新案登録請求の範囲】
【請求項１】
背もたれ（１）、椅子接続部材（２）、シート（３）及び横梁（４）を含み、前記椅子接続部材（２）の上端が前記背もたれ（１）に固定され、前記シート（３）が前記椅子接続部材（２）の中央部に回動可能に接続され、前記椅子接続部材（２）の下端が前記横梁（４）に固定されることを特徴とする公共椅子。
【請求項２】
前記公共椅子は更に圧板（５）を含み、前記圧板（５）は、前記椅子接続部材（２）に係合して前記横梁（４）に固定されることを特徴とする請求項１記載の公共椅子。
【請求項３】
前記公共椅子は更に固定足（６）を含み、前記固定足（６）は一端が前記横梁（４）に固定され、他端が地面に固定されることを特徴とする請求項１記載の公共椅子。
【請求項４】
前記椅子接続部材（２）は前記背もたれ（１）の両側に設けられることを特徴とする請求項１記載の公共椅子。
【請求項５】
前記椅子接続部材（２）の形状はＺ状であることを特徴とする請求項１〜４のいずれか１項記載の公共椅子。
【考案の詳細な説明】
【技術分野】
【０００１】
本考案は椅子の技術分野に関し、特に、公共折り畳み椅子に関する。
【背景技術】
【０００２】
公共椅子の形態には、大きく分けてベンチ型とチェア型の２種類がある。公共椅子は、例えば、休息、飲食、読書、仮眠、編み物、将棋、日光浴、観察、談話といった特殊な活動が行えるよう、私的な空間を提供することが可能である。従来の公共椅子は構造が複雑であり、組み立てに不便であった。
【考案の概要】
【考案が解決しようとする課題】
【０００３】
本考案は、構造が複雑で組み立てに不便であるという従来技術における瑕疵を解消するための公共椅子を提供することを解決すべき課題とする。
【課題を解決するための手段】
【０００４】
上記の技術的課題を解決するために、本考案の公共椅子は、背もたれ、椅子接続部材、シート及び横梁を含み、前記椅子接続部材の上端が前記背もたれに固定され、前記シートが前記椅子接続部材の中央部に回動可能に接続され、前記椅子接続部材の下端が前記横梁に固定される。
【０００５】
更に、前記公共椅子は更に圧板を含み、前記圧板は前記椅子接続部材に係合して前記横梁に固定される。
【０００６】
更に、前記公共椅子は更に固定足を含み、前記固定足は一端が前記横梁に固定され、他端が地面に固定される。
【０００７】
更に、前記椅子接続部材は前記背もたれの両側に設けられる。
【０００８】
更に、前記椅子接続部材の形状はＺ状とされる。
【考案の効果】
【０００９】
本考案の公共椅子によれば、椅子接続部材が上下を接続する作用を奏することから、構造や組み立てが簡単であり、搬送しやすく、且つ椅子の一体性がより良好となる。よって、公共施設での取り付け及び使用に適する。
【図面の簡単な説明】
【００１０】
【図１】図１は、本考案の公共椅子の正面図である。
【図２】図２は、本考案の公共椅子の左視図である。
【考案を実施するための形態】
【００１１】
以下に、図面と実施例を組み合わせて、本考案の具体的実施形態につき更に詳細に述べる。なお、以下の実施例は本考案を説明するためのものであって、本考案の範囲を限定するものではない。
【００１２】
図１及び図２に示すように、本考案の公共椅子は、背もたれ１、椅子接続部材２、シート３及び横梁４を含む。前記椅子接続部材２の上端は、ネジによって前記背もたれ１に固定される。前記シート３は、前記椅子接続部材２の中央部に回動可能に接続される。前記椅子接続部材２の下端は、前記横梁４に固定される。
【００１３】
前記公共椅子は更に圧板５を含む。前記圧板５は前記椅子接続部材２に係合し、ネジによって前記横梁４に固定される。これにより、椅子接続部材２を固定しやすくなり、椅子を完全に固定できる。前記公共椅子は更に固定足６を含む。前記固定足６は一端が前記横梁４に固定され、他端が地面に固定される。前記椅子接続部材２は前記背もたれ１の両側に設けられ、椅子は椅子接続部材２によって完全に固定される。前記椅子接続部材２の形状はＺ状とされる。
【００１４】
取り付け時には、椅子接続部材２が上下を接続する作用を奏する。椅子接続部材２は上部が背もたれ１に固定接続され、中央部分がシート３に回転可能に接続されることで、シート３の折り畳みが実現される。以上で椅子本体ユニットが完成し、梱包すれば現場への搬送が可能となる。椅子接続部材２の下部は固定された横梁４に直接設置され、圧板５により固定接続される。
【００１５】
本考案の公共椅子によれば、椅子接続部材が上下を接続する作用を奏することから、構造や組み立てが簡単であり、搬送しやすく、且つ椅子の一体性がより良好となる。よって、公共施設での取り付け及び使用に適する。
【００１６】
以上述べたように、上記の実施形態は本考案における限定的実施形態ではなく、当業者が本考案の実質的内容を元に行う追加又は等価の変形は、いずれも本考案の技術範囲に含まれる。
【図１】
0003210183.tif 000003
【図２】
0003210183.tif 000004
(57)【要約】      （修正有）【課題】市販カップ麺調理を簡易にし、手間と時間を短縮する事が出来る上蓋付きワンタッチカップ麺開閉器具を提供する。【解決手段】本体１をプラスチック製にする事で市販カップ麺各サイズに対応でき、又、本体輪留めの片側に加工刃１ａを設け、カップ麺包装ビニルを必要最小限のみ切断し、包装ビニル全体を取り除く事なく調理でき、かつ上蓋２を二重にする事で保熱効果が大きくなる。【選択図】図１
0003210175.tif 000002
【実用新案登録請求の範囲】
【請求項１】
市販カップ麺直径とほぼ同じぐらいの直径のプラスチック製輪留めの一部にスリットを設け、その先端片側に加工刃とすべり止めを加工し、又その本体に上下開閉可能な押え板を設けた上蓋付きワンタッチカップ麺開閉器具。
【考案の詳細な説明】
【技術分野】
【０００１】  本考案はカップ麺包装ビニルを簡易に切断し、かつ上蓋付きにする事で、調理時間を短縮できる生活便利器具に関するものである。
【背景技術】
【０００２】  市販カップ麺の包装ビニルを脱却するのに手間が掛かり、そのビニル包装全体を取り除いた後、熱湯を注ぎ、上蓋に何らかのオモリを乗せ、所定時間を待っていた。
【考案の概要】
【考案が解決しようとする課題】
【０００３】  市販カップ麺は包装しているビニルが破りにくく、その包装全体を取り除き、上蓋の開閉口を開き熱湯を注いた後、上蓋先端を折り曲げただけの保温である為、その開閉口両側端より蒸気が漏れやすかった。
【課題を解決するための手段】
【０００４】  本考案は、本体プラスチック輪留め片側に加工刃を設け、市販カップ麺開閉口部分のみの包装ビニルを切断し、包装ビニル全体を取り除く事なく調理でき、かつ二重蓋とする事により蒸気をより逃さなくすることにより、問題点を解決している。
【考案の効果】
【０００５】  上述のように、本考案は市販カップ麺の包装ビニル全体を取り除く事なく湯を注げ、又上蓋を二重にする事により保熱効果を上げ、調理を簡易にし、手間と時間を短縮する事が出来る。
【図面の簡単な説明】
【０００６】
【図１】本考案の上蓋付きワンタッチカップ麺開閉器具の実施例を示す正面図である。
【図２】本考案の一部抜粋図であり、１ａの拡大図。
【考案を実施するための形態】
【０００７】  本体プラスチック輪留めを市販カップ麺開閉口に巻き、図１の１ａのプラスチック加工刃を上蓋開閉部付近で手で押さえながら回転させ、開閉口部分の包装ビニルのみを切断し、上蓋を開き湯を注いだ後上蓋を閉じ、その位置より図１の２部分の上蓋が開閉口にくる様に再度回転させ、二重上蓋とし、蒸気を逃さないようにする事が出来る。又、図１の１のプラスチック製輪留めは、市販カップ麺寸法の１０ｃｍ１５ｃｍまでの各サイズまで対応出来る。
【実施例】
【０００８】  以下添付図面に従って、一実施例を説明する。１は耐久性プラスチック等適宜素材にて直径１０ｃｍから１５ｃｍ程度のカップ麺に対応出来る様、ある程度その輪を広げる事が出来る素材にて作成し、１ａ部分に切り込み刃を加工作成し、カップ麺包装ビニルを切断出来る様にし、又その左側一部に滑り止め加工を設ける。【０００９】  ２は１と同素材にて半円形、直径８ｃｍの上蓋を設ける。【００１０】  ２の上蓋が上下に可動出来る様、１及び２に分離型ちょうつがいを各一体型加工し、その中央部を接続ピン３で止める様にする。
【符号の説明】
【００１１】  １  輪留め本体
１ａ  輪留め本体に加工刃及び滑り止めを設ける。
２  上蓋
３  接続ピン
【図１】
0003210175.tif 000003
【図２】
0003210175.tif 000004
(57)【要約】      （修正有）【課題】重量のある移動体の初動を手動で助ける初動軽量化装置を提供する。【解決手段】減速機構１の低トルク軸２をハンドル３で回転することにより、高トルク軸４に力を伝導し、高トルク軸４と移動体５（台車）の回転軸６を連結することにより、初動を軽量化する。手動のため、安全装置も不要であるし、構造も簡単なため、コストダウンできて経済的であり、力の弱い者でも、楽に作業できる。【選択図】図１
0003210179.tif 000002
【実用新案登録請求の範囲】
【請求項１】
減速機構（１）の低トルク軸（２）をハンドル（３）で回転することにより、高トルク軸（４）に力が伝導する。高トルク軸（４）と移動体（５）の回転軸（６）を連結することにより、初動を軽量化する構造。
【考案の詳細な説明】
【考案の詳細な説明】
この考案は、減速機構（１）の低トルク軸（２）をハンドル（３）で回転することにより、高トルク軸（４）に力が伝導する。高トルク軸（４）と移動体（５）の回転軸（６）を連結することにより、初動を軽量化する構造であり、重量の移動体（５）の初動を助ける構造である。
従来、重量物を積載した台車を人力で動かすとき、動きかければ動くが、動きかけまでの、初動がかなりの荷重がかかり、大変重く困っていた。又、上下に動かす重量シャッターも、反対側におもり等を取り付け、重量バランスをとれば、かなり軽量に動くはずであるが、先ほどの、重量台車と同じで、動きだすまではかなりの初動荷重がかかり、手動では限界があった。
電動式にすればスイッチだけで、たやすく動かすことができるのだが、電気制御、安全装置等必要になる爲、装置がかなり高額になってしまう欠点があった。
本考案の構造であれば、減速機構（１）の低トルク軸（２）をハンドル（３）で回転することにより、高トルク軸（４）に力が伝導する。
高トルク軸（４）と移動体（５）の回転軸（６）を連結することにより、初動を助け、初動を軽量化する構造。
減速機構（１）を使用するために、低トルクで高トルクをだすことができて、この低トルクで、高トルク軸（４）と移動体（５）の回転軸（６）を連結することにより、動き始めの、初動を軽量化にして助ける装置を本考案は提供するものである。
この構造であれば、大変低価格で実施でき、構造も大変簡単であり、故障しにくいし、手動のため、高額な電気制御装置・安全装置も不要であるし、低トルクで操作できるので、力の弱い者でもたやすく作業できる。
また、この装置は任意の移動または、回転する構造・装置に組み込むことができる。
ハンドル（３）をラチェット機構・あるいはラチェット機構付ハンドルにすれば動作時には、ハンドルは回転しなくて安全である。
減速機構（１）も市販品の減速機でもよいし、自作の物でも可能であるし、
0003210179.tif 000003
大小の組み合わせ、あるいはベルトとプーリー大小の組み合わせでも可能である。又、初動時、補助的に電気を使い減速機構（１）を作動することも考えられる。
又任意の組み合わせ・材質・形状も考えられる。
本考案は、従来から要望されていた初動の軽量化を解決することができ、さらにコストダウンもすることができ、大変効果が期待できる考案である。
【図面の簡単な説明】
【図１】本考案の実施例（台車）を示す図面である。
【図２】本考案の実施例（シャッター）を示す図面である。
【符号の説明】（１）は減速機構  （２）は低トルク軸  （３）はハンドル
（４）は高トルク軸  （５）は移動体  （６）は回転軸
【図１】
0003210179.tif 000004
【図２】
0003210179.tif 000005
【手続補正書】
【提出日】平成29年2月10日(2017.2.10)
【手続補正１】
【補正対象書類名】実用新案登録請求の範囲
【補正対象項目名】全文
【補正方法】変更
【補正の内容】
【実用新案登録請求の範囲】
【請求項１】
減速機構（１）の低トルク軸（２）をハンドル（３）で回転することにより、高トルク軸（４）に力が伝導するとともに、高トルク軸（４）と移動体（５）の回転軸（６）を連結することにより、初動を軽量化する、初動軽量化装置。
【手続補正２】
【補正対象書類名】明細書
【補正対象項目名】全文
【補正方法】変更
【補正の内容】
【考案の詳細な説明】
【考案の詳細な説明】
この考案は、減速機構（１）の低トルク軸（２）をハンドル（３）で回転することにより、高トルク軸（４）に力が伝導するとともに、高トルク軸（４）と移動体（５）の回転軸（６）を連結することにより、初動を軽量化する構造であり、重量の移動体（５）の初動を助ける構造の初動軽量化装置である。
従来、重量物を積載した台車を人力で動かすとき、動きかければ動くが、動きかけまでの、初動がかなりの荷重がかかり、大変重く困っていた。又、上下に動かす重量シャッターも、反対側におもり等を取り付け、重量バランスをとれば、かなり軽量に動くはずであるが、先ほどの、重量台車と同じで、動きだすまではかなりの初動荷重がかかり、手動では限界があった。
電動式にすればスイッチだけで、たやすく動かすことができるのだが、電気制御、安全装置等必要になる爲、装置がかなり高額になってしまう欠点があった。
本考案の構造であれば、減速機構（１）の低トルク軸（２）をハンドル（３）で回転することにより、高トルク軸（４）に力が伝導するとともに、高トルク軸（４）と移動体（５）の回転軸（６）を連結することにより、初動を助け、初動を軽量化する、初動軽量化装置である。
減速機構（１）を使用するために、低トルクで高トルクをだすことができて、この低トルクで、高トルク軸（４）と移動体（５）の回転軸（６）を連結することにより、動き始めの、初動を軽量化にして助ける、初動軽量化装置を本考案は提供するものである。
この構造であれば、大変低価格で実施でき、構造も大変簡単であり、故障しにくいし、手動のため、高額な電気制御装置・安全装置も不要であるし、低トルクで操作できるので、力の弱い者でもたやすく作業できる。
また、この装置は任意の移動または、回転する構造・装置に組み込むことができる。
ハンドル（３）をラチェット機構・あるいはラチェット機構付ハンドルにすれば動作時には、ハンドルは回転しなくて安全である。
減速機構（１）も市販品の減速機でもよいし、自作の物でも可能であるし、減速機でなくても、単なる歯車の大小の組み合わせ、チェーンとスプロケットの大小の組み合わせ、あるいはベルトとプーリー大小の組み合わせでも可能である。又、初動時、補助的に電気を使い減速機構（１）を作動することも考えられる。
又任意の組み合わせ・材質・形状も考えられる。
本考案は、従来から要望されていた初動の軽量化を解決することができ、さらにコストダウンもすることができ、大変効果が期待できる考案である。
【図面の簡単な説明】
【図１】本考案の実施例（台車）を示す図面である。
【図２】本考案の実施例（シャッター）を示す図面である。
【符号の説明】  （１）は減速機構  （２）は低トルク軸  （３）はハンドル
（４）は高トルク軸  （５）は移動体  （６）は回転軸
(57)【要約】      （修正有）【課題】地面からの衝撃を吸収できる犬用車椅子を提供する。【解決手段】犬用車椅子の車輪３上部のフレーム内部にスプリングを設置し、また車輪３が上下する機構を用いることで地面からの衝撃を吸収する。【選択図】図１
0003210176.tif 000002
【実用新案登録請求の範囲】
【請求項１】
フレーム内部にスプリングを内蔵し、地面からの衝撃を吸収することを特徴とする犬用車椅子。
【請求項２】
フレーム内部へのスプリングの挿入、組付け方法または作動構造を特徴とする請求項１に記載の犬用車椅子。
【考案の詳細な説明】
【技術分野】
【０００１】この考案は、犬用車椅子（ポリ塩化ビニルパイプ製）の構造に関する。
【背景技術】
【０００２】従来の犬用車椅子には地面からの衝撃を吸収する機構がない。
【考案の概要】
【考案が解決しようとする課題】
【０００３】  従来の犬用車椅子では、地面からの衝撃を吸収するものがなく、犬の身体に直接衝撃が加わるため、乗り心地が悪い。
そこで、この考案は犬の身体に加わる地面からの衝撃を軽減することを課題とする。
【課題を解決するための手段】
【０００４】  以上の課題を解決するために、スプリングを車輪上部のフレームに内蔵し地面からの衝撃を軽減する機構を備えたことを特徴とする犬用車椅子である。
【考案の効果】
【０００５】  スプリングを使用することによって、犬の身体に加わる地面からの衝撃が軽減される。犬用車椅子を使用する犬の病状として変遷性脊髄症や椎間板ヘルニアが多いことから、脊椎や腰椎への衝撃を軽減することにより乗り心地を向上させることができる。
また、上記病状のリハビリなどへの利用の促進にもつながる。
【図面の簡単な説明】
【図１】本考案の一実施形態を示す斜視図である。
【図２】従来の犬用車椅子の斜視図である。
【図３】本考案の符号３部の縦断面図である。
【図４】本考案のスプリング収縮時の符号３部の縦断面図である。
【図５】本考案の後方から見た平面図である。
【符号の説明】１塩ビパイプ
２塩ビ継手（チーズ）
３車輪
４ワッシャー
５スプリング
６ボルト
７スリット
８袋ナット
Ａ本考案の実施個所
【考案を実施するための形態】
【０００６】  この考案の実施形態を図１に示す。
【図１】
0003210176.tif 000003
【図２】
0003210176.tif 000004
【図３】
0003210176.tif 000005
【図４】
0003210176.tif 000006
【図５】
0003210176.tif 000007
【手続補正書】
【提出日】平成29年1月11日(2017.1.11)
【手続補正１】
【補正対象書類名】実用新案登録請求の範囲
【補正対象項目名】全文
【補正方法】変更
【補正の内容】
【実用新案登録請求の範囲】
【請求項１】
フレーム内部にスプリングを内蔵し、地面からの衝撃を吸収することを特徴とする犬用車椅子。
【請求項２】
前記フレームの一部を構成する継手を備え、
前記継手の内部に前記スプリングを備え、
車輪を支持するフレーム部材を、前記継手の内部に前記スプリングを介して上下動自在に挿入した構造を備えたことを特徴とする、
請求項１に記載の犬用車椅子。
(57)【要約】      （修正有）【課題】軽量な防音・遮音用複合板を提供する。【解決手段】金属の薄板（１）と断熱板（２）を張り合わせた防音・遮音用複合板であり、軽量でコストダウンができ、従来品と同等の効果が期待できる素材である。【選択図】図１
0003210180.tif 000002
【実用新案登録請求の範囲】
【請求項１】
金属・非鉄金属の薄板（１）と断熱板（２）を張り合わせた防音・遮音用複合板。
【考案の詳細な説明】
【考案の詳細な説明】
この考案は、金属・非鉄金属の薄板（１）と断熱板（２）を張り合わせた防音・遮音用複合板である。
従来、防音・遮音用に使用する鋼板・ステンレス鋼板は、一定の厚み（重量）がないと音が貫通してしまうため、パネル化した場合、かなり重量のあるパネルとなっていた。又、非鉄金属のアルミ等であれば、鋼板・ステンレス鋼板と同等の重量が必要とされるのが通例であった。
しかし、、非鉄金属のアルミ等であれば、かなり高額になってしまい使用困難になってしまい、又、結局は鋼板・ステンレス鋼板と同一重量になり、、非鉄金属のアルミ等製作する意味がなくなってしまう。
このため、安価で軽量のパネルのベース板が要望されていた。
本考案の構造であれば、金属・非鉄金属の薄板（１）と断熱板（２）を張り合わせた防音・遮音用複合板であり、かなり軽量となる。
断熱板（２）は一般建築に使用される床用あるいは壁用に使用される、市販品の難燃性発泡樹脂板とか、準不燃性複層板の１０ミリ程度の板でよい。
金属・非鉄金属の薄板（１）とこの難燃性発泡樹脂板とか、準不燃性複層板を張り合わせれば、鋼板・ステンレス鋼板と同一あるいは、それ以上の効果を得ることができる。
本考案の防音・遮音用複合板を使用して、パネルを製作すれば、鋼板・ステンレス鋼板で製作した防音パネルと同等の防音・騒音対策効果を得る場合、総重量が１／３程度にすることができる。又、製作コストも、鋼板・ステンレス鋼板で製作した防音パネルルであれば、溶接経験者でなければ製作できないけれど、未経験者等経験の浅い者でも十分製作できるため、コストダウンができる、一般的に鋼板・ステンレス鋼板であれば２ミリから３ミリ程度の厚みの板を使用するのが通例である。しかし、本考案の金属・非鉄金属の薄板（１）は金属では鋼板・ステンレス鋼の、０．５ミリから１ミリ程度、非鉄金属で、例えばアルミ板であれば、１．５ミリ程度で鋼板・ステンレス鋼の２ミリから３ミリ程度の厚みを使用した場合と同等の効果が得られる。
断熱板（２）は一般建築に使用される床用あるいは壁用に使用される市販品の、難燃性発泡樹脂板とか、準不燃性複層板の１０ミリ程度の板で良いし、価格も安価である。
本考案は、軽量で、コストダウンもでき、従来品と同等の効果が期待できる素材であり、要望にも答えられるものを提供するものである。
【図面の簡単な説明】
【図１】本考案の側面図である。
【図２】本考案の実施例を示す側面図である。
【図３】本考案の斜視図である。
【符号の説明】（１）は金属・非鉄金属の薄板  （２）は断熱板
【図１】
0003210180.tif 000003
【図２】
0003210180.tif 000004
【図３】
0003210180.tif 000005
【手続補正書】
【提出日】平成29年2月10日(2017.2.10)
【手続補正１】
【補正対象書類名】実用新案登録請求の範囲
【補正対象項目名】全文
【補正方法】変更
【補正の内容】
【実用新案登録請求の範囲】
【請求項１】
金属の薄板（１）と断熱板（２）を張り合わせた防音・遮音用複合板。
(57)【要約】      （修正有）【課題】循環型システムを提供する。【解決手段】高架高速道路の側面に太陽光発電器を張り付け発電する設備で東側および西側の両側面に取り付けた構造を有し、前記高架高速道路の車の廃棄ガスに含まれる二酸化炭素が夜間に地上に下りてくるのを吸収する植物を地上に植えて二酸化炭素の削減を行わせる、地球温暖化防止に一層役立たせた循環型システムとする。【選択図】図１
0003210172.tif 000002
【実用新案登録請求の範囲】
【請求項１】
高架高速慈雨路の側面に  太陽光発電器を張り付け発電する設備で東側  および  西側の  両側面に取り付けた構造で  かつ  距離も長く利用し  発電量も  多く確保  出来ることが可能で  又随所の高速道路に利用可能で  日光に当たる面であれば  随意設備可能が特徴である  太陽光発電  量は随所の地点からマイナンバーで管理室へ月末毎に発電  ｋｗｈや  売り上げ金を報告するようにする  次に高速座迂路の車の廃棄ガス  に含まれる  二酸化炭素が  夜間に地上に下りてくるのを  吸収する植物を地上に植えて  二酸化炭素の  削減を行わせるようにして地球温暖化防止に一層役建たせた  循環型  システム  で  マイナンバ  毎に管理室え報告する
【考案の詳細な説明】
【図１】
0003210172.tif 000003
【手続補正書】
【提出日】平成29年1月19日(2017.1.19)
【手続補正１】
【補正対象書類名】実用新案登録請求の範囲
【補正対象項目名】全文
【補正方法】変更
【補正の内容】
【実用新案登録請求の範囲】
【請求項１】
高架高速道路の側面に太陽光発電器を張り付け発電する設備で東側および西側の両側面に取り付けた構造を有し、
前記高架高速道路の車の廃棄ガスに含まれる二酸化炭素が夜間に地上に下りてくるのを吸収する植物を地上に植えて二酸化炭素の削減を行わせる、地球温暖化防止に一層役建たせた循環型システム。
【請求項２】
前記太陽光発電器の発電量は、前記高架高速道路の随所の地点からマイナンバで管理室へ月末毎に発電ｋｗｈや売り上げ金を報告する請求項１に記載の循環型システム。
【手続補正２】
【補正対象書類名】明細書
【補正対象項目名】全文
【補正方法】変更
【補正の内容】
【考案の詳細な説明】
【技術分野】
【０００１】  本願考案は、循環型システムに関する。
【図面の簡単な説明】
【０００２】
【図１】図１は、本願考案に係る循環型システムの概略図である。
【考案を実施するための形態】
【０００３】  高架高速道路の側面に太陽光発電器を張り付け発電する設備で東側および西側の両側面に取り付けた構造でかつ距離も長く利用し、発電量も多く確保出来ることが可能で又随所の高速道路に利用可能で日光に当たる面であれば随意設備可能が特徴である太陽光発電量は随所の地点からマイナンバで管理室へ月末毎に発電ｋｗｈや売り上げ金を報告するようにする。
【０００４】  また、高速道路の車の廃棄ガスに含まれる二酸化炭素が夜間に地上に下りてくるのを吸収する植物を地上に植えて二酸化炭素の削減を行わせるようにして地球温暖化防止に一層役建たせた循環型システムでマイナンバ毎に管理室へ報告する。
(57)【要約】      （修正有）【課題】帽子・ヘアバンド・カチューシャ等に簡単に取付けられるミニ旗を提供する。【解決手段】ミニ旗２を帽子１のツバ以外の布製部・ヘアバンド・カチューシャ等の厚みの薄い部位に取付ける場合は、ミニ旗２の取り付け部分が貫通し、取付け部分の受け部が凹又は凸で、旗竿部を凸又は凹の形状とし、帽子１のツバ部分等の厚みのある部位に取付ける場合は、クリップタイプの取付け部分とする。【選択図】図１
0003210174.tif 000002
【実用新案登録請求の範囲】
【請求項１】
取付け部分がクリップタイプのミニ旗
【請求項２】
取付け部分が貫通タイプで受け部が凹で旗竿部が凸の形状
【請求項３】
取付け部分が貫通タイプで受け部が凸で旗竿部が凹の形状
【考案の詳細な説明】
【考案の詳細な説明】
【技術分野】
【０００１】この考案は、スポーツ観戦の際に使用する応援グッズに関するものである。
【背景技術】
【０００２】野球やサッカーなどのスポーツ観戦の現場では自身の応援するチームの応援グッズを持って応援する光景はよく知られている。
【考案を解決しようとする手段】
【０００３】スポーツチームのロゴマーク・球団旗・日本代表チームの場合は国旗などのミニ旗を帽子・ヘアバンド・カチューシャ等に簡単に取り付けられるようにする。
【考案の効果】
【０００４】スポーツ観戦では、味方チームの応援団（以下、「サポーター」）が応援グッズを手に持ち、または身に装着して応援する。帽子・ヘアバンド・カチューシャ等にミニ旗を装着すると、人体の一番上部に装着するものであるから、遠くからでも認識することができ敵味方が一目でわかる応援グッズになります。また、ロゴマークまたはキャラクターデザイン等はチームをサポートする企業のイメージであるから、サポーターが競技場以外でも着用することによって宣伝効果も期待できる。
【図面の簡単な説明】
【図１】取付け部分がクリップタイプのミニ旗を帽子のツバに付した本考案の一実施例である。
【図２】取付け部分が貫通タイプのミニ旗を帽子に付した本考案の一実施例である。
【図３】取付け部分が貫通タイプまたはクリップタイプのミニ旗をヘアバンド・カチューシャに付した本考案の一実施例である。
【図４】取付け部分がクリップタイプのミニ旗を直接髮の毛に付した本考案の一実施例である。
【図５】取付け部分がクリップタイプの側面図
【図６】取付け部分が貫通タイプで受け部が凹で旗竿部が凸の形状
【図７】取付け部分が貫通タイプで受け部が凸で旗竿部が凹の形状
【符号の説明】１、帽子
２、取付け部分がクリップタイプのミニ旗
３、取付け部分が貫通タイプのミニ旗
４、ヘアバンドまたはカチューシャ
５、クリップ
６、旗竿部が凸の形状のミニ旗
７、凹型の受け部
８、旗竿部が凹の形状のミニ旗
９、凸型の受け部
【図１】
0003210174.tif 000003
【図２】
0003210174.tif 000004
【図３】
0003210174.tif 000005
【図４】
0003210174.tif 000006
【図５】
0003210174.tif 000007
【図６】
0003210174.tif 000008
【図７】
0003210174.tif 000009
【手続補正書】
【提出日】平成29年2月15日(2017.2.15)
【手続補正１】
【補正対象書類名】実用新案登録請求の範囲
【補正対象項目名】全文
【補正方法】変更
【補正の内容】
【実用新案登録請求の範囲】
【請求項１】
取付け部分がクリップタイプのミニ旗
【請求項２】
取付け部分が帽子・ヘアバンド等を貫通し、受け部が凹で旗竿部が凸の形状を有するミニ旗
【請求項３】
取付け部分が帽子・ヘアバンド等を貫通し、受け部が凸で旗竿部が凹の形状を有するミニ旗
(57)【要約】      （修正有）【課題】接合線が目立たず、柱として利用することができ、見た目良い集成角材を提供する。【解決手段】２本の丸太を中央から縦割りにして得られる横断面半円形の４つの切断片３の長手方向に延びる各切断面４が四角柱の外表面にそれぞれ位置するように配置されており、各切断片の円弧面には、隣接する円弧面と互いに噛み合うジグザグ状又は鋸歯状の切り込み部６が形成され、それらの切り込み部が接着剤を介して噛み合わされて、外部に露出する接合線が、四角柱の出隅部の角に配置されている。【選択図】図５
0003210101.tif 000002
【実用新案登録請求の範囲】
【請求項１】
２本の丸太を中央から縦割りにして得られる横断面半円形の４つの切断片の長手方向に延びる各切断面が四角柱の外表面にそれぞれ位置するように配置されており、前記各切断片の円弧面には、隣接する円弧面と互いに噛み合うジグザグ状又は鋸歯状の切り込み部が形成され、それらの切り込み部が接着剤を介して噛み合わされて、外部に露出する接合線が、前記四角柱の出隅部の角に配置され、かつ、互いに噛み合う前記切り込み部の歯先が鋭角に形成されていることを特徴とする集成角材。
【請求項２】
前記ジグザグ状又は鋸歯状の切り込み部の、前記四角柱の各出隅部に当たる部分は、平坦面に形成され、それらが接合されて長手方向に沿う直線状の前記接合線が形成されていることを特徴とする請求項１に記載の集成角材。
【考案の詳細な説明】
【技術分野】
【０００１】
木材の太さを有効利用し、接合部を角材の対角線上に配置することにより、外表面に接合線が露出されない集成角材に関する。
【背景技術】
【０００２】
集成材には、種々のものがあるが、特に小径の丸太を有効利用して、そこから径のより大きな角材を集成するものとしては、下記特許文献に記載のものが知られている。  
【先行技術文献】
【特許文献】
【０００３】
【特許文献１】実開平６−５９０５号公報
【考案の概要】
【考案が解決しようとする課題】
【０００４】
ところが、特許文献１に記載の集成角材は、接合線が表にでるため、それを柱として利用するには制約があり、見た目が悪いという問題がある。本考案は、この問題を解決した新たな集成角材を提供することを課題とする。
【課題を解決するための手段】
【０００５】
本考案に係る集成角材は、２本の丸太を中央から縦割りにして得られる横断面半円形の４つの切断片の長手方向に延びる各切断面が四角柱の外表面にそれぞれ位置するように配置されており、前記各切断片の円弧面には、隣接する円弧面と互いに噛み合うジグザグ状又は鋸歯状の切り込み部が形成され、それらの切り込み部が接着剤を介して噛み合わされて、外部に露出する接合線が、前記四角柱の出隅部の角に配置されていることを特徴とする。
【０００６】
また、前記ジグザグ状又は鋸歯状の切り込み部の、前記四角柱の各出隅部に当たる部分は、平坦面に形成され、それらが接合されて長手方向に沿う直線状の前記接合線が形成されていることを特徴とする。
【０００７】
これにより、四角柱に形成された集成角材は、出隅部の角に接合線が現れるだけであるから、集成材としての接合面は、特許文献１に記載のものよりも目立たない集成角材とすることができる。
【考案の効果】
【０００８】
本考案によれば、集成材の接合面を角材の角に位置させることができるので、集成材であることを目立たせない効果がある。しかも、細い丸太で、その直径を一辺とした、より大きな角材を得ることができるから、間伐材の有効利用を図ることができる。
【図面の簡単な説明】
【０００９】
【図１】丸太２本の断面図。
【図２】丸太２本を縦割りにして得られる計４本の切断片の断面図。
【図３】４本の切断片の長手方向に沿う各切断面を四角柱の外側面に位置するように配置して、隣接する各切断片の円弧面にジグザグ状又は鋸歯状の切り込み部を形成した説明図。
【図４】隣接する切断片の各切り込み部を互いに接合した状態の説明図。
【図５】各切断片の切り込む部を互いに接合して四角柱とした状態の断面図。
【図６】太さの異なる２本の丸太から横断面が長方形の四角柱を形成したときのその断面図。
【図７】図６の四角柱の他の実施形態を示す断面図。
【考案を実施するための形態】
【００１０】
以下、本考案の実施形態を、図面を参照しながら説明する。
図１は、略同じ太さの丸太１二本の断面を示し、それらの中央線２は、各丸太１を縦割りにするときの切断線を示す。この切断線で切断して得られる合計４本の切断片３を図２に示す。
【００１１】
図３は、この切断片３の各切断面４を四角柱の外側面に位置させ、その状態で、互いに隣接する各切断片３の円弧面５にジグザグ状又は鋸刃状の切り込み部６を形成する。この場合の切り込み部６は、柱の出隅部に当たる角部７を残してジグザグ状に又は鋸刃状に形成する。また、角部７の接合面は、図３に示すように平坦に形成しておく。
【００１２】
次に、図４に示すように、隣り合う二つの切断片３の切り込み部６と角部７を、接着剤を介して互いに接合し、続いて図４の互いに対向する二組の接合片の切り込み部６ａと角部７を、接着剤を介して互いに接合する。すると、図５に示すような四角柱が得られる。
これにより、四角柱の外表面には、角部の長手方向に沿う接合線しか現れないので、見た目は、集成材ではなく、無垢の柱として見ることができる。また各部材が角度をなして接合されているので、各部材を一方向から接合した従来の集成材と比べても、分離し難く、強度的にも従来のものより向上したものとなっている。
【００１３】
図６は、太さの異なる２本の丸太を、前述のような工程を経て接合させたときの四角柱の横断面を示す。この実施形態では、上下の部材が直径の大きい丸太を縦割りにしたものであり、左右の部材がそれより直径の小さい丸太を縦割りにしたものである。
【００１４】
図７は、図６に示す各部材と同じ大きさの丸太を使用し、それらの円弧面に形成する切込み部６、６ａのカットする方向を変えた一例である。したがってこの実施形態では、四角柱の中心部に空洞がないものとなっている。
【符号の説明】
【００１５】
１      丸太
２      縦割り線
３      切断片
４      切断面
５      円弧面
６      ジグザグ状又は鋸歯状の切り込み部
６a     ジグザグ状又は鋸歯状の切り込み部
７      平坦部
【図１】
0003210101.tif 000003
【図２】
0003210101.tif 000004
【図３】
0003210101.tif 000005
【図４】
0003210101.tif 000006
【図５】
0003210101.tif 000007
【図６】
0003210101.tif 000008
【図７】
0003210101.tif 000009
(57)【要約】      （修正有）【課題】紙屑等をごみ箱に投入時、紙屑等がゴミ箱の外に落ちることを防止するゴミ受けボード付ゴミ箱ホルダーを提供する。【解決手段】固定用クリップ３にゴミ受けボード１をジョイントバー２で接合し、ゴミ箱にボードを取り付け、ボードを前後・上下に調整可能とした。【選択図】図１
0003210195.tif 000002
【実用新案登録請求の範囲】
【請求項１】
固定用クリップにゴミ受けボードをジョイントバーで接合し、ボードを前後・上下に調整可能としたゴミ受けボード付ゴミ箱ホルダー。
【考案の詳細な説明】
【技術分野】
【０００１】  本考案は、クリップにゴミ屑受けボードを結合させた、ゴミ箱ホルダーに関するものである。
【背景技術】
【０００２】  ゴミ箱のゴミ袋がズレたり、ゴミ箱に紙屑等を投げ入れる際、度々ゴミ箱に入らず回りに落下していた。
【考案の概要】
【考案が解決しようとする課題】
【０００３】  ゴミ箱に被せたゴミ袋がズレたり、紙屑等が入らず回りに落ちて散らかっている状態や、落ちたものを拾って入れ直すという２度手間を解決しようとするものである。
【課題を解決するための手段】
【０００４】  本考案は、ゴミ箱本体に固定用及びゴミ袋ズレ防止のクリップとボードをジョイントバーを使用し結合させ、紙屑等がゴミ箱の外に落ちないようにボードで受け止め、且つ、ゴミ袋を固定するクリップによりゴミ袋のズレをなくすことにより、問題点を解決している。
【考案の効果】
【０００５】  上述の様に、本考案はボードにより紙屑等がゴミ箱の外に落下することを抑えることは勿論、クリップの大きさをゴミ箱の開口部の形状が四角、円形、その他の形状のモノにも対応可能にしていることにより、様々なゴミ箱に使用可能となっている。
【図面の簡単な説明】
【０００６】
【図１】  本考案のゴミ受けボード付ゴミ箱ホルダーの一実施例を示す正面図である。
【図２】  本考案のゴミ受けボード付ゴミ箱ホルダーの一実施例を示す側面図である。
【考案を実施するための形態】
【０００７】  クリップをゴミ箱本体の上部頭頂部に固定し、ボードを上下や前後に稼働式ジョイントで調節し、紙屑等がゴミ箱に落下する様位置を合わせ設置する。
【実施例】
【０００８】  以下、添付図面に従って一実施例を説明する。１は軽量の発泡スチロール等適宣素材にて形成されたゴミ受け用のボード。３はゴミ箱４に本製品をジョイントするためのクリップ。２はボードとクリップのジョイントバー。２ａの部位はボードの位置を上下前後に動かすことが可能な構造となっている。
【符号の説明】
【０００９】  １  ボード
２  ジョイントバー
３  クリップ
４  ゴミ箱
【図１】
0003210195.tif 000003
【図２】
0003210195.tif 000004
(57)【要約】      （修正有）【課題】バッグをＳ字フック等を用いて吊下棒に吊り下げる場合の、持ち手の痛み、多くの空間が必要になること、また、吊るし姿勢の不安定さによる不便を解決することができるバッグ用ハンガーを提供する。【解決手段】バッグの持ち手を掛けるパイプ状のハンガー本体２ａあるいは、かまぼこ状のハンガー本体により持ち手相互の重なりを防止し、前記ハンガー本体の両端にそれぞれ備えたフック３を吊下棒Ｔに掛けることによりバッグを省スペースに安定して吊り下げることが可能となり、この課題を解決する。【選択図】図１
0003210200.tif 000002
【実用新案登録請求の範囲】
【請求項１】
断面を円形等とするパイプ状のハンガー本体の両端にそれぞれフックを備えることを特徴とするバッグ用ハンガー
【請求項２】
断面をアーチ形とするかまぼこ状のハンガー本体の両端にそれぞれフックを備えることを特徴とするバッグ用ハンガー
【考案の詳細な説明】
【技術分野】
【０００１】  本考案は、バッグを吊り下げて収納・保管・陳列する際に適した吊り下げ具に関するものである。
【背景技術】
【０００２】  バッグを吊下棒に吊るして収納・保管・陳列する場合、Ｓ字フック等を用いて吊り下げていた。
【先行技術文献】
【特許文献】
【０００３】
【特許文献１】特開２００１−１２０３３２号  公報
【特許文献２】実用新案登録３２０６１２７号  公報
【考案の概要】
【考案が解決しようとする課題】
【０００４】  Ｓ字フック等を用いてバッグを吊下棒に吊り下げると持ち手相互が重なり、痛みや癖がつくという問題がある。また、バッグの幅方向が吊下棒と同じ方向となり、多くの空間が必要になり不便である。さらに、吊下棒に複数のバッグを吊るした際、吊るし姿勢が不安定なため互いに干渉し、掛け外しに不便である。
【課題を解決するための手段】
【０００５】  請求項１の考案は、パイプ状ハンガー本体の両端にそれぞれフックを備えることを特徴とするバッグ用ハンガーである。パイプ状ハンガー本体で持ち手相互の重なりを防止でき、吊下棒にハンガー本体両端のフックを掛けることにより、バッグを安定して吊り下げることが可能となる。【０００６】  請求項２の考案は、かまぼこ状ハンガー本体の両端にそれぞれフックを備えることを特徴とするバッグ用ハンガーである。かまぼこ状ハンガー本体で持ち手相互の重なりを防止でき、吊下棒にハンガー本体両端のフックを掛けることにより、バッグを安定して吊り下げることが可能となる。
【考案の効果】
【０００７】  本考案のバッグ用ハンガーにより、持ち手相互の重なりを防止することができ、吊下棒にバッグを安定して吊り下げることが可能となる。また、バッグの脱落を防止し、掛け外しが円滑に行える。複数のバッグを収納・保管・陳列する場合には、空間の効率的利用に役立つ。
【図面の簡単な説明】
【０００８】
【図１】  ハンガー本体がパイプ状であるバッグ用ハンガーの斜視図である。
【図２】  同上側面図である。
【図３】  ハンガー本体がかまぼこ状であるバッグ用ハンガーの斜視図である。
【図４】  同上側面図である。
【図５】  ハンガー本体がパイプ状であるバッグ用ハンガーの実施例を示す斜視図である。
【図６】  同上背面図である。
【考案を実施するための形態】
【０００９】  本考案に係るバッグ用ハンガーは、耐久性のプラスチック等適宜素材にて形成され、ハンガー本体の両端それぞれに吊下棒に掛けるためのフックを備える。ハンガー本体の長さは、バッグの持ち手が相互に重ならないように持ち手幅２本分よりも長くする。
【００１０】  図１と図２に示すバッグ用ハンガー１ａは、ハンガー本体２ａの形状が、断面を円形等とするパイプ状であることを特徴とし、可動部のない単純で丈夫な構造である。
【００１１】  図３と図４に示すバッグ用ハンガー１ｂは、ハンガー本体２ｂの形状が、断面をアーチ形とするかまぼこ状であることを特徴とし、可動部のない単純で丈夫な構造である。
【実施例】
【００１２】  図５と図６は、ハンガー本体がパイプ状であるバッグ用ハンガーの実施例を示す斜視図と背面図である。バッグ用ハンガー１ａを用いてのバッグＢの吊下棒への掛け外しは、まず、ハンガー本体２ａを下方から持ち、バッグＢの持ち手にくぐらせて掛ける。続けて、ハンガー本体２ａを持ったままフック３を吊下棒Ｔに掛けることでバッグＢを簡単に安定して吊下棒Ｔに吊り下げることが可能となる。また、両端のフックはストッパーの役割をし、バッグの脱落を防止する。【００１３】  また、バッグＢをバッグ用ハンガー１ａ、あるいは、１ｂを用いて吊下棒Ｔに吊り下げた場合、バッグＢのまち方向が吊下棒Ｔと同方向になり省スペースでの吊り下げが可能となる。
【産業上の利用可能性】
【００１４】  本考案に係るバッグ用ハンガーは、工業的に量産することが可能であるため、産業上の利用可能性を有する。
【符号の説明】
【００１５】１ａ  ハンガー本体がパイプ状であるバッグ用ハンガー
１ｂ  ハンガー本体がかまぼこ状であるバッグ用ハンガー
２ａ  パイプ状ハンガー本体
２ｂ  かまぼこ状ハンガー本体
３    フック
Ｂ    バッグ
Ｔ    吊下棒
【図１】
0003210200.tif 000003
【図２】
0003210200.tif 000004
【図３】
0003210200.tif 000005
【図４】
0003210200.tif 000006
【図５】
0003210200.tif 000007
【図６】
0003210200.tif 000008
(57)【要約】      （修正有） 【課題】後遺症が有っても人の手を借りることなく患者自身で更衣が可能になる衣類を提供する。【解決手段】使用者に着用される衣類1であって、身頃10を分ける分離部11と、分離部に設けられ一端側から他端側に移動することで、分離部11を開いた状態から閉じた状態にするファスナ20と、衣類1の内側においてファスナの一端側に設けられ環状に形成された補助部30と、を備える。【選択図】図1
0003210199.tif 000002
【実用新案登録請求の範囲】
【請求項１】
使用者に着用される衣類であって、身頃を分ける分離部と、分離部に設けられ一端側から他端側に移動することで、分離部を開いた状態から閉じた状態にするファスナと衣類の内側においてファスナの一端側に設けられ環状に形成された補助部と、を備える衣類。
【考案の詳細な説明】
【技術分野】
【０００１】
本考案は使用者に着用される衣類に関する。
【背景技術】
【０００２】
脳血管障害患者は年々増加している。脳血管障害者は病後の麻痺の部位により自立更衣が不自由になる。
【０００３】
ことに開閉具（ファスナ）の上げ下げは健常者には計り知れない不自由さがある。しかしながら面ファスナーでは、通勤着・礼装・おしゃれ着等には適さない。
【考案の概要】
【考案が解決しようとする課題】
【０００４】
開閉具の中でファスナを用いる衣類を着用する場合、片手で片端を抑えてもう片方の手でスライドして開閉する。
【０００５】
片麻痺の後遺症がある時、右半身または左半身を自由に動かすことができない。
【０００６】
本考案は半身麻痺の後遺症が有っても、人の手を借りることなく患者自身で更衣することを目的とする。
【課題を解決するための手段】
【０００７】
使用者に着用される衣類であって、身頃を分ける分離部と、分離部に設けられる一端側から他端側に移動することで、分離部を開いた状態から閉じた状態に するファスナと、衣類の内側に、ファスナの一端側に設けられ環状に形成され た補助具と、を備える衣類。
【考案の効果】
【０００８】
本考案は後遺症が有っても人の手を借りることなく患者自身で更衣が可能になる。
【図面の簡単な説明】
【０００９】
【図１】本考案の形態に係る衣類の本体を説明する図である。
【考案を実施するための形態】
【００１０】
以下、本考案の実施形態を説明する。以下の説明では、ワンピースに適用した例を説明するが本考案は、ワンピースに限らず、ファスナで開閉可能な部分を有する任意の衣類に適用できる。
【００１１】
使用者に着用される衣類1であって見頃10を分ける分離部11と分離部に設けられ一端側から他端側に移動することで、分離部11を開いた状態から閉じた状態にするファスナ20と、衣類1の内側において、ファスナ20の一端側に設けられ環状に形成された補助部30とを備える衣類。
【００１２】
本考案形態において、衣類1の内側とは、使用者に着用されたときに、使用者側に面する側や、ポケットの内部等の着用時に第三者が視認できない部分である。
【００１３】
半身麻痺患者が更衣可能な衣類は伸縮性のあるニット素材の衣類に限定されるのが実情であるが、本形態によれば後遺症が有っても人の手を借りることなく患者自身で更衣が可能となる。これにより患者自身で更衣可能なおしゃれな衣類が増えることにより、社会復帰への意欲を掻き立てリハビリに於いて良い効果が得られる可能性がある。
【符号の説明】
【００１４】
１    衣類
１０  身頃
１１  分離部
２０  ファスナ
３０  補助具
【図１】
0003210199.tif 000003